(57)【要約】【課題】枠部材の配置が容易で設計上の自由度が大きく、また、小型化も可能なズームレンズ鏡筒を提供する。【解決手段】ズームレンズ鏡筒は、ズーミング時にカム枠３のヘリコイドネジによってカム溝３ｃによって進退駆動される第一群レンズを保持する第一群枠とズーミング時にカム枠３のカム溝３ｃによって進退駆動される第二群レンズを保持する第二群枠とを有し、上記第二群枠は、合焦時にも進退駆動される。カム溝３ｃは、光学的必要移動量を与えるカム溝３ｃ′のカム溝部３c2′に対して移動量が不足するカム溝部３c1，３c2を有しており、ワイド位置から沈胴位置への繰り込み動作時における上記第一群枠と第二群枠との最接近距離Ｌ2 がより大きくとれるように構成されている。上記光学的必要移動量に対して不足するズーム移動量分は、第二群枠のフォーカシング駆動時の合焦駆動量に加算して駆動される。【選択図】図１０
2005258359.tif 000002
【特許請求の範囲】
【請求項１】
ズームレンズを構成する複数のレンズ群の内の合焦を行うフォーカシングレンズ群と、
上記フォーカシングレンズ群をズーミングのため光軸方向に進退させるためのカムであって、ズーミングを行うための光学的必要移動量に対し不足するカム筋を有するズーム用カムと、
上記フォーカシングレンズ群を合焦のため駆動する合焦駆動機構と、
上記合焦駆動機構を機能させ、上記フォーカシングレンズ群を合焦させるときに、上記ズーム用カムによって生じた上記フォーカシングレンズ群の移動不足量を合焦のための移動量に加算して上記フォーカシングレンズ群を移動させるように上記合焦駆動機構を制御する制御手段と、
を有することを特徴としたズームレンズを有するカメラ。
【請求項２】
ズームレンズを構成する複数のレンズ群の内の合焦を行うフォーカシングレンズ群と、
上記フォーカシングレンズ群をズーミングのため光軸方向に進退させるためのカムであって、ズーミングを行うための光学的必要移動量に対して不足するカム筋を有するズーム用カムと、
上記フォーカシングレンズ群を合焦のため駆動する合焦駆動機構と、
を有し、上記合焦駆動機構を機能させ、上記フォーカシングレンズ群を合焦させるときに、上記ズーム用カムによって生じた上記フォーカシングレンズ群の移動不足量を合焦のための移動量を加算して上記フォーカシングレンズ群を移動させるように上記合焦駆動機構が制御可能とされることを特徴とするズームレンズ鏡筒。
【請求項３】
ズームレンズを沈胴可能なカメラに装着されるズームレンズ鏡筒において、
上記ズームレンズを構成する複数のレンズ群の内の合焦を行うフォーカシングレンズ群と、
上記フォーカシングレンズ群と隣接し、ズーミングする際は移動する他のレンズ群と、
上記フォーカシングレンズ群をズーミングのため光軸方向に進退させるためのカムであって、ズーミングを行うための光学的必要移動量に対し不足するズームカム筋と、これと連続して沈胴移動のための沈胴カム筋とを有するズーム用カムと、
上記フォーカシングレンズ群を合焦のため駆動する合焦駆動機構と、
を有し、上記ズームレンズの沈胴のときには上記フォーカシングレンズ群と上記他のレンズ群との干渉を防止し、上記合焦駆動機構を機能させ、上記フォーカシングレンズ群を合焦させるときには上記ズーム用カムによって生じた上記フォーカシングレンズ群の移動不足量を合焦のための移動量に加算して上記フォーカシングレンズ群を移動させるように上記合焦駆動機構が制御されることを特徴とするズームレンズ鏡筒。
【発明の詳細な説明】
【技術分野】
【０００１】
本発明は、ズーミングおよびフォーカシング可能なズームレンズを有するカメラ、および、上記ズームレンズを内蔵するズームレンズ鏡筒に関する。
【背景技術】
【０００２】
従来の沈胴可能なズームレンズ鏡筒の一例として、図１５の枠部材部分拡大断面図に示されるような一般的な構造の鏡筒の場合、前群レンズ１０３，後群レンズ１０５を保持する進退移動可能な前群枠１０２，後群枠１０４がカム枠１０１の回転によって、沈胴位置からワイド端位置に、さらに、テレ端位置に繰り込まれる。カム枠１０１の内周部には前群枠１０２を進退駆動するための雌ヘリコイドネジ１０１ａと後群枠１０４を進退駆動するためのカム溝１０１ｂとが設けられる。
【０００３】
図１５に示す従来のレンズ鏡筒において、前群枠１０２，後群枠１０４をワイド端位置から沈胴位置に繰り込む場合、前群枠１０２は、雌ヘリコイドネジ１０１ａにより繰り込まれるが、後群枠１０３は、ワイド端位置から直ちに繰り込み方向に移動するのではなく、ある光学系においては、一旦繰り出し方向に繰り出された後、沈胴位置に向けて繰り込まれることもある。すなわち、カム溝１０１ｂのワイド端部分には、ある余裕の範囲の繰り出し方向へのカム溝が設けられているために上述のように一旦繰り出された後に繰り込まれることになる。
【発明の開示】
【発明が解決しようとする課題】
【０００４】
上述した図１５に示す従来のズームレンズ鏡筒においては、ワイド端から沈胴させる場合に後群枠１０４が一旦繰り出されるように移動することから、前群枠１０２と後群枠１０４とがワイド端での相対位置よりさらに接近することになる。従って、前群枠１０２と後群枠１０４との離間距離ｄ0 をワイド端での離間距離よりも大きくとっておく必要がある。そのために前群枠１０２および後群枠１０４の占有スペ−スが制限されるなどによって配置，形状の自由度が減る。そのため、十分な性能を有するレンズ鏡筒を提供することが難しくなる。あるいは、レンズ鏡筒の小型化にも支障が生じる。
【０００５】
本発明は、上述の問題を解決するためになされたものであり、ズームレンズ鏡筒において、各構成部材の配置が容易で設計の自由度の大きく、また、小型化も可能なズームレンズ鏡筒、または、ズームレンズを有するカメラを提供することを目的とする。
【課題を解決するための手段】
【０００６】
本発明の請求項１記載のズームレンズを有するカメラは、ズームレンズを構成する複数のレンズ群の内の合焦を行うフォーカシングレンズ群と、上記フォーカシングレンズ群をズーミングのため光軸方向に進退させるためのカムであって、ズーミングを行うための光学的必要移動量に対し不足するカム筋を有するズーム用カムと、上記フォーカシングレンズ群を合焦のため駆動する合焦駆動機構と、上記合焦駆動機構を機能させ、上記フォーカシングレンズ群を合焦させるときに、上記ズーム用カムによって生じた上記フォーカシングレンズ群の移動不足量を合焦のための移動量に加算して上記フォーカシングレンズ群を移動させるように上記合焦駆動機構を制御する制御手段とを具備しており、上記合焦駆動機構を機能させ、上記フォーカシングレンズ群を合焦させるときに、上記ズーム用カムによって生じた上記フォーカシングレンズ群の移動不足量を合焦のための移動量に加算して上記フォーカシングレンズ群を移動させるように制御が行われる。
【０００７】
本発明の請求項２記載のズームレンズ鏡筒は、ズームレンズを構成する複数のレンズ群の内の合焦を行うフォーカシングレンズ群と、上記フォーカシングレンズ群をズーミングのため光軸方向に進退させるためのカムであって、ズーミングを行うための光学的必要移動量に対して不足するカム筋を有するズーム用カムと、上記フォーカシングレンズ群を合焦のため駆動する合焦駆動機構とを有し、上記合焦駆動機構を機能させ、上記フォーカシングレンズ群を合焦させるときに、上記ズーム用カムによって生じた上記フォーカシングレンズ群の移動不足量を合焦のための移動量が加算して上記フォーカシングレンズ群を移動させるように上記合焦駆動機構が制御される。
【０００８】
本発明の請求項３記載のズームレンズ鏡筒は、ズームレンズを沈胴可能なカメラに装着されるズームレンズ鏡筒において、上記ズームレンズを構成する複数のレンズ群の内の合焦を行うフォーカシングレンズ群と、上記フォーカシングレンズ群と隣接し、ズーミングする際は移動する他のレンズ群と、上記フォーカシングレンズ群をズーミングのため光軸方向に進退させるためのカムであって、ズーミングを行うための光学的必要移動量に対し不足するズームカム筋と、これと連続して沈胴移動のための沈胴カム筋とを有するズーム用カムと、上記フォーカシングレンズ群を合焦のため駆動する合焦駆動機構とを有し、上記ズームレンズの沈胴のときには上記フォーカシングレンズ群と上記他のレンズ群との干渉を防止し、上記合焦駆動機構を機能させ、上記フォーカシングレンズ群を合焦させるときには上記ズーム用カムによって生じた上記フォーカシングレンズ群の移動不足量を合焦のための移動量に加算して上記フォーカシングレンズ群を移動させるように上記合焦駆動機構が制御される。
【発明の効果】
【０００９】
本発明によれば、枠部材の配置が容易で設計の自由度の大きく、また、小型化も可能なズームレンズ鏡筒、または、ズームレンズを有するカメラを提供することができる。
【発明を実施するための最良の形態】
【００１０】
以下、本発明の実施の形態を図に基づいて説明する。 
図１は、本発明の一実施形態であるズームレンズ鏡筒の外観を示す斜視図である。図２は、上記ズームレンズ鏡筒が装着される銀塩カメラのレンズ鏡筒沈胴状態での撮影光軸に沿った断面図である。図３は、上記ズームレンズ鏡筒の撮影可能なワイド状態での撮影光軸に沿った断面図である。図４は、上記ズームレンズ鏡筒の撮影可能なテレ状態での撮影光軸に沿った断面図である。図５，６は、上記ズームレンズ鏡筒の分解斜視図である。図７は、上記ズームレンズ鏡筒に内蔵されるフォーカスユニットの分解斜視図である。図８は、図７のＥ矢視図であって、上記フォーカスユニットの合焦駆動機構部を構成する送り軸部まわりの断面図である。
【００１１】
なお、以下の説明において、ズームレンズ鏡筒（レンズ鏡筒と記載する）の被写体側を前方側とし（前方方向を＋Ｚとする）、結像側を後方側（または、背面側）とする（後方方向を−Ｚ方向とする）。また、回転方向は、前方側から見たときの回転方向で示す。
【００１２】
本実施形態のレンズ鏡筒１１０は、図２等に示すように銀塩カメラ１００に組み込まれるレンズシャッタタイプのズームレンズ鏡筒であって、該カメラ１００には、ズーム式光学ファインダ装置が組み込まれているものとする。
【００１３】
レンズ鏡筒１１０は、図１〜８等に示すようにカメラ外装カバー１２０内にてカメラ本体１３０に支持される固定枠１と、固定枠１内に組み込まれる枠部材として、固定枠１に対して回転，進退自在に支持される回転枠２と、固定枠１に対して回転規制され、回転枠２とともに進退移動する移動枠４と、回転枠２とともに回転し、移動枠４に対して進退駆動されるカム枠３と、移動枠４により回転規制され、かつ、カム枠３とともに進退移動するフロートキー５と、フロートキー５により回転規制され、かつ、カム枠３により進退駆動される第一群枠６と、フロートキー５により回転規制され、かつ、カム枠３により進退駆動されるフォーカスユニット７および第三群枠８と、フォーカスユニット７と第三群枠８を離間させる方向に付勢する圧縮バネで形成される付勢バネ９と、光軸Ｏを有する撮影光学系（ズームレンズ）として第一群枠６に保持される第一群レンズ１１，第二群枠２３に保持されるフォーカシングレンズ群である第二群レンズ１２，第三群枠８に保持される第三群レンズ１３と、第一群枠６とフォーカスユニット７の間に配される蛇腹遮光ゴム１７と、各枠部材間に配されるリング状の遮光ゴム１８，１９，２０とを主に有してなる。
【００１４】
固定枠１は、円環形状部材であって、固定枠１には内周部に雌ヘリコイドネジ（以下、ヘリコイドネジは、ヘリコイドと記載する）１ａと、該ヘリコイドに重畳する直進溝１ｂが設けられ、内周部に光軸Ｏに沿ったロングギヤ挿入用凹部１ｃが設けられる。
【００１５】
直進溝１ｂのうち、下方に配置される直進溝１b1には、２つのピン穴１ｆとビス穴１ｅ等が設けられる。２つのピン穴１ｆには、それぞれズーム検出ピン３７Ａ，３７Ｂが外周側から直進溝１b1内にその先端部が突出する状態で出没自在に挿入される。固定枠１の直進溝１b1の外側の外周位置にズームエンコーダ８９であるズーム位置検出スイッチ部４０を構成するワイド検出スイッチ接片３８Ａ，テレ検出スイッチ接片３８Ｂおよび検出スイッチコモン接片３９とがビス７２，７３をビス穴１ｅ等に螺着して固着される。一方のズーム検出ピン３７Ａの下端部がコモン接片３９の後側端部３９ａに当接し、他方のズーム検出ピン３７Ｂの下端部がコモン接片３９の前側端部３９ｂに当接している。後，前側端部３９ａ，３９ｂは、常時はワイド検出スイッチ接片３８Ａ，テレ検出スイッチ接片３８Ｂに接触（オン状態）している。繰り出された移動枠４のガイド突起４ａ（後述）によりズーム検出ピン３７Ａ，３７Ｂの何れかが押圧されると、ワイド検出スイッチ接片３８Ａ，テレ検出スイッチ接片３８Ｂがオフ状態に切り替わり、移動枠４のワイド端位置、または、テレ端位置が検出される。なお、ワイド検出スイッチ接片３８Ａ，テレ検出スイッチ接片３８Ｂ，コモン接片３９の端部ブラシ部は、図示しない接続用フレキシブルプリント基板に接触して保持され、その出力は、後述するＣＰＵ９１に入力される。
【００１６】
ギヤ挿入用凹部１ｃには、回転枠駆動用ロングギヤ３６が挿入され、ロングギヤ３６は、前方の軸穴１ｄと後方部の固定されるギヤ取り付け板３６ａとによって取り付けられ、その回転軸は、光軸Ｏと平行に回転自在に支持される。
【００１７】
ロングギヤ３６は、ズーム駆動時、ズームモータ６４によりギヤ列６７等を介して回転駆動される。すなわち、図１に示すようにズームモータ６４の出力軸に固着されるピニオン６５は、ギヤ列６７の入力側ギヤに噛合しており、ギヤ列６７の出力ギヤ側は、ネジギヤ６８側に噛合している。ネジギヤ６８の回転は、出力ギヤ６９側に伝達される。出力ギヤ６９は、ロングギヤ３６に常時噛合しているので、ズームモータ６４の回転は、ロングギヤ３６側に伝達される。
【００１８】
ズームモータ６４の回転量は、ズームモータ出力軸に固着されるスリット板６５ａの回転量を検出するズームエンコーダ８９であるフォトインターラプタ６６により検知される。
【００１９】
回転枠２は、円環形状部材であって、回転枠２には後端外周部にギヤ部２ｃと雄ヘリコイド２ａが設けられる。また、後方内周部には内周に沿ってカム部２ｆ，２ｇを持つ円周ガイド溝２ｅが設けられ、カム部２ｆ，２ｇに対応した状態で後端面２ｄから凹んだ状態の複数の凹部２ｉが設けられる。また、内周部には光軸Ｏ方向に沿った複数の直進溝２ｂが設けれる。
【００２０】
回転枠２は、雄ヘリコイド２ａを固定枠１の内周部の雌ヘリコイド１ａに螺合させて固定枠１の内周部に嵌入される。そして、回転枠２は、固定枠１に装着されたロングギヤ３６によりこれと噛合するギヤ部２ｃを介して回転駆動され、固定枠１に対して回転しながら光軸Ｏ方向に進退移動する。
【００２１】
移動枠４は、円環形状部材であって、移動枠４には後端面部４ｆの外周部に外径方向に突出する複数のガイド突起４ａと、ガイド突起４ａの前方側に外方に突出する複数のガイドピン４ｄと、内周部に雌ヘリコイド４ｂ、および、光軸Ｏ方向に沿った直進溝４ｃとが設けられており、さらに、内外周部を貫通する２本の螺旋状逃げ溝４ｅが設けられている。
【００２２】
移動枠４は、ガイド突起４ａを固定枠１の直進溝１ｂに摺動自在に嵌入させた状態で回転枠２の内周部に回転自在に嵌合して挿入される。その挿入状態でガイドピン４ｄは、回転枠２の円周ガイド溝２ｅに摺動自在に嵌入する。従って、移動枠４は、固定枠１に対して回転規制された状態にて回転枠２の内周部にて光軸Ｏ方向に回転枠２と一体の状態で進退移動する。
【００２３】
カム枠３は、円環形状部材であって、カム枠３には後端外周部に雄ヘリコイド３ａが設けられる。また、後方内周部には複数のガイド突起３ｅが設けられる。また、内周部には雌ヘリコイド３ｂと、光軸Ｏ方向に対して斜行するズーム用カムとして各３本のカム溝３ｃ，３ｄが設けられる。また、上記後端の雄ヘリコイド３ａが設けられる部分に外方に突出する２本のガイドピン１４が固着される。
【００２４】
カム溝３ｃは、後述するフォーカスユニット７の第二群ガイド枠２１のカムフォロア１５と嵌合するカム溝であって、第二群ガイド枠２１を介して第二群枠２３に保持されるフォーカシングレンズの第二群レンズ１２をズーミングのために光軸Ｏ方向に進退させるためのズーム用カムである。但し、カム溝３ｃには、ズーミング時の第二群レンズ１２の光学的必要移動量を制限するために後述するように該必要移動量に対して不足するカム筋（図１０のカム溝部３c1〜３c3）が形成されているものとする。後述するように合焦駆動時に上記ズーミングに不足する移動量（図１０の移動量Ｌ1 ）を合焦駆動量に加算した第二群レンズ１２の補正駆動がなされる。
【００２５】
カム溝３ｄは、第三群枠８のカムフォロア１６と嵌合するカム溝であって、第三群枠８に保持される第三群レンズ１３をズーミングのために光軸Ｏ方向に進退させるためのズーム用カムである。
【００２６】
カム枠３は、移動枠４の内周部の雌ヘリコイド４ｂに雄ヘリコイド３ａを螺合させた状態で嵌合され、かつ、ガイドピン１４が逃げ溝４ｅを挿通した状態で回転枠２の直進溝２ｂに摺動自在に嵌入させて組み込まれる。従って、カム枠３は、回転枠２とともに回転し、かつ、移動枠４に対して相対的に光軸Ｏ方向に進退移動する。
【００２７】
フロートキー５は、円環形状部材であって、フロートキー５には外周後端部に外径方向に突出する複数のガイド突起５ａと、外周後方部に周方向に沿ったガイド溝５ｄと、外周部に光軸Ｏ方向に沿った直進溝５ｅと、内外周を貫通する光軸Ｏ方向に沿った各３本の直進ガイド溝５ｂ，５ｃが設けられる。
【００２８】
フロートキー５は、ガイド突起５ａを移動枠４の直進溝４ｃに摺動自在に嵌入させ、さらに、ガイド溝５ｄにカム枠３のガイド突起３ｅを摺動自在に嵌入させた状態で組み付けられる。従って、フロートキー５は、移動枠４によって回転が規制され、かつ、光軸Ｏ方向にカム枠３と一体で進退移動する。
【００２９】
第一群枠６は、円環形状部材であって、第一群枠６には後端外周部に雄ヘリコイド６ａと、内周部に光軸Ｏ方向に延びる直進ガイド凸部６ｂが設けられる。さらに、中央開口部に第一群レンズ１１が保持され、その前面部に飾り板１０が固着される。
【００３０】
第一群枠６は、直進ガイド凸部６ｂをフロートキー５の直進ガイド溝５ｂに摺動自在に嵌入させ、かつ、雄ヘリコイド６ａをカム枠３の雌ヘリコイド３ｂに螺合させて組み込まれる。従って、第一群枠６は、フロートキー５によって回転規制された状態でカム枠３の回転と進退移動にともなって光軸Ｏ方向に直進移動する。
【００３１】
フォーカスユニット７は、図２，５，７等に示すように第二群ガイド枠２１と、フォーカシングスレンズ，シャッタの駆動源が装着され、第二群ガイド枠２１の後側に取り付けられるＬＤ地板２２と、シャッタ羽根，遮光羽根及びフォーカシングレンズである第二群レンズ等が組み込まれ、フォーカシング時に第二群ガイド枠２１に対して光軸Ｏ方向に相対駆動される第二群枠２３と、第二群枠２３の前面に取り付けられるシャッタ蓋２５と、第二群ガイド枠２１の前面に取り付けられる枠蓋２６と、第二群枠２３を光軸Ｏ方向に摺動自在に支持するガイドロッド２７とを主に有してなる。
【００３２】
ＬＤ地板２２は、中央開口部２２ａを有する枠部材であって、その前面側にシャッタ羽根，遮光羽根の駆動源であるプランジャソレノイド装置５５と、合焦駆動の駆動源であるフォーカスモータ４１と、合焦駆動用ギヤ列４６と、合焦駆動用ギヤ列４６を介して第二群枠２３を進退駆動する合焦駆動機構部と、フォーカスモータ回転量検出用フォトインタラプタ６１と、シャッタ羽根移動位置検出用フォトインタラプタ６３等が組み込まれる。このＬＤ地板２２は、第二群ガイド枠２１に対して背面側からフック２２ｃで仮止めした後、ビス挿通穴２２ｂに挿通させたビス７１ａ、および、ビス挿通穴２２ｄを挿通させたビス７１ｂを第二群ガイド枠２１に螺着させて固定される。
【００３３】
プランジャソレノイド装置５５は、ソレノイド部５８と、プランジャ５６と、該ソレノイド部と該プランジャとの間に介在され、該プランジャを突出方向（シャッタ羽根閉方向）に付勢するプランジャバネ５７とを有している。プランジャ５６のスライド方向は、光軸Ｏとの垂直面に沿った方向とする。プランジャ５６の先端には後述するシャッタ駆動レバー２９の端部２９ｂが当接する。
【００３４】
フォーカスモータ４１は、光軸Ｏと平行方向に沿った出力軸を有しており、該出力軸には、ピニオン４２が固着されている。ピニオン４２は、合焦駆動用ギヤ列４６の初段ギヤ４７に噛合する。この出力軸の回転量は、合焦駆動用ギヤ列４６中のギヤ４８の軸に取り付けられたスリット板６２の回転を検出するフォーカスエンコーダ６０であるフォトインターラプタ６１によって検出される。
【００３５】
合焦駆動用ギヤ列４６の終段ギヤ４９は、一体的に固着される光軸Ｏと平行な合焦駆動機構部の送りネジ５０を有しており、送りネジ５０には合焦駆動機構部の駆動用ナット５２が螺合している。なお、この送りネジ５０まわりの合焦駆動機構部の詳細については図８を用いて後で説明する。
【００３６】
第二群ガイド枠２１は、中央開口部２１ａを有する枠部材であって、外周部３ヶ所に凸部２１ｂが設けられ、その凸部にそれぞれカムフォロア１５が固着される。
【００３７】
フォーカスユニット７に内蔵される第二群ガイド枠２１の凸部２１ｂがフロートキー５内部の直進ガイド溝５ｂに嵌入した状態で光軸Ｏ方向に直進ガイドされて支持される。そして、第二群ガイド枠２１は、ズーム駆動時、カム枠３のカム溝３ｃに嵌入するカムフォロア１５を介してカム枠３の回転に伴って相対的に進退駆動される。
【００３８】
第二群枠２３は、中央にシャッタ開口部２３ａを有する枠部材であって、第二群レンズおよびシャッタ装置が組み込まれている。すなわち、この第二群枠２３には、該開口部２３ａの後方側に第二群レンズ１２（図２）が保持され、前面側にシャッタ装置として撮影光路を開閉する一対のシャッタ羽根である第一のシャッタ羽根３１と第二のシャッタ羽根３２が一対の軸である支持ピン２３ｄと支持ピン２３ｅに回動自在に支持されている。さらに、シャッタ装置として撮影光の漏れを遮光する遮光羽根３３が支持ピン２３ｆにより回動可能に支持されている。また、背面側上方部の光軸Ｏ方向に突出する軸部２３ｇにはシャッタ駆動レバー２９が軸穴２９ａにて回動可能に取り付けられている。また、第二群枠２３の上方部に光軸Ｏ方向と平行なスリーブ２８が接着固定される。該スリーブの光軸Ｏを挟んだ対向位置の外方に突出する回り止め用ガイド凸部２３ｂが設けられる。
【００３９】
スリーブ２８は、まず、第二群枠２３に対してガタのある状態で挿入される。そして、該スリーブの内径部が第二群レンズ１２の光軸Ｏと平行で、かつ、光軸Ｏから所定の距離離間した状態で位置するように治具等で位置決めした状態で第二群枠２３に接着，固定される。なお、このスリーブ２８には、第二群枠２３を摺動自在に支持するガイドロッド２７が嵌入される。
【００４０】
シャッタ駆動レバー２９は、プランジャ５６によって駆動される被駆動部材であり、かつ、遮光羽根を含むシャッタ羽根を回動駆動する駆動部材である。そして、このシャッタ駆動レバー２９は、軸部２３ｇに回動自在に嵌合する軸穴２９ａと、プランジャ５６の先端に当接する端部２９ｂと、第二群枠２３のピン挿通長穴２３ｃを挿通して前方側に突出し、シャッタ羽根，遮光羽根に係合するシャッタ駆動ピン２９ｃを有している。
【００４１】
シャッタ駆動レバー２９は、シャッタバネ３０により時計回り（前方より見て）に付勢されている。その付勢方向は、シャッタ駆動レバー２９の端部２９ｂがプランジャ５６の先端側に当接する方向であり、かつ、シャッタ羽根３１，３２，遮光羽根３３を開放する方向である。このシャッタバネ３０のシャッタ駆動レバー２９に対する付勢力は、プランジャ５６側の付勢バネ５７の付勢力より弱い。従って、プランジャソレノイド装置５５がオフ状態になるとシャッタ駆動レバー２９は、付勢バネ５７の付勢力によってプランジャ５６を介してシャッタ閉方向に回動駆動される。
【００４２】
なお、シャッタ駆動レバー２９とプランジャ５６とは、フォーカス駆動時に光軸Ｏ方向に相対移動することからプランジャ５６の先端との当接状態を維持するためにシャッタ駆動レバー２９の端部２９ｂは、光軸Ｏ方向に平行である軸穴２９ａ方向と平行に延びた形状を有している。
【００４３】
第一のシャッタ羽根３１は、シャッタ開口部２３ａを第二のシャッタ羽根３２と協働して開閉可能な遮光部を有している。そして、シャッタ羽根３１は、第二群枠２３の前面側にて支持ピン２３ｄに嵌入し、かつ、駆動用長穴をシャッタ駆動レバー２９の駆動ピン２９ｃに嵌入した状態で回動可能に支持される。
【００４４】
第二のシャッタ羽根３２は、シャッタ開口２３ａを第一のシャッタ羽根３１と協働して開閉可能な開口縁部をもつ遮光部を有している。すなわち、第二のシャッタ羽根３２は、第一のシャッタ羽根３１に対してシャッタ閉状態において該開口部２３ａ上にて食い合わせ部分（重なる部分）を形成する。このシャッタ羽根３２は、第二群枠２３の前方側でシャッタ羽根３１の前面に重畳させた状態で支持ピン２３ｅに嵌入し、かつ、駆動用長穴をシャッタ駆動レバー２９の駆動ピン２９ｃに嵌入した状態で回動可能に支持される。
【００４５】
遮光羽根３３は、シャッタ開口部２３ａをシャッタ羽根３１，３２とで遮蔽した状態でのシャッタ羽根３１，３２の重畳部からの光漏れを遮断し、かつ、シャッタ開時には、シャッタ羽根３１とともにシャッタ開口部２３ａから退避可能な遮光部を有している。この遮光羽根３３は、第二群枠２３の前面側にてシャッタ羽根３２の前面側の遮光部の縁部を覆った状態で該シャッタ羽根３２をシャッタ羽根３１とで挟んだ状態で配置される。その取り付け状態で支持ピン２３ｆに嵌入し、かつ、駆動用長穴をシャッタ駆動レバー２９の駆動ピン２９ｃに嵌入させた状態で回動可能に支持される。
【００４６】
遮光羽根３３の前面にさらに遮光シート２４を乗せて、覆った状態とする。なお、遮光シート２４には、シャッタ開口部２３ａと等しい大きさの中央開口部２４ａや駆動ピン２９ｃの逃げ穴２４ｃや第二群枠付勢バネ３５の逃げ部２４ｂ等が設けられている。
【００４７】
シャッタ羽根３１，３２と遮光羽根３３および遮光シート２４が組み込まれた第二群枠２３には、その前面にシャッタ蓋２５が第二群枠２３の係止ピン２３ｈ，２３ｉ，２３ｊで係止されて装着され、ユニット化される。なお、シャッタ蓋２５には、駆動ピン２９ｃの逃げ穴２５ｃや第二群枠付勢バネ３５の逃げ部２５ｂ等が設けられている。
【００４８】
ユニット化された第二群枠２３は、第二群ガイド枠２１に対してその前面側からガイド凸部２３ｂを第二群ガイド枠２１の光軸Ｏと平行に形成されたガイド凹部２１ｄに摺動自在に嵌入させた状態で装着される。さらに、その装着状態で枠蓋２６を第二群ガイド枠２１の前面にガイド枠の位置決めピンで位置決めした状態ではめ込み、枠蓋２６の係止穴部２６ｂを第二群ガイド枠２１のフック部２１ｆに係止させて仮止め状態とする。そこで、ガイドロッド２７を枠蓋２６のロッド支持穴２６ｃに挿通させてその先端部を第二群ガイド枠２１のロッド支持穴２１ｃに圧入して固定する。なお、その固定状態でガイドロッド２７には、枠蓋２６と第二群枠２３の間に第二群枠付勢バネ３５が圧縮状態で挿入される。
【００４９】
上述したＬＤ地板２２に組み込まれる合焦駆動機構部は、フォーカスモータ４１により駆動されるギヤ列４６の終段ギヤ４９に一体的に固着される光軸Ｏと平行な送りネジ５０と、送りネジ５０に螺合する駆動用ナット５２と、さらに、第二群枠２３側に設けられる１つの頂点をもつ後方突起部２３ｋと２つの頂点を持つ後方突起部２３ｍとを有してなる（図７，８）。送りネジ５０の両端軸部５１は、その両端がＬＤ地板２２に軸穴２２ｃと第二群ガイド枠２１の軸穴２１ｅに回転自在に支持されている。駆動用ナット５２は、凸部５２ａを有しており、その凸部５２ａは、第二群ガイド枠２１の送りネジ５０の軸と平行に形成された凹部２１ｈに摺動自在に嵌入している。従って、終段ギヤ４９が回転すると、駆動用ナット５２は、回転規制された状態で送りネジ５０に沿って光軸Ｏと平行方向（Ｚ方向）に移動する（図８）。そして、駆動用ナット５２の前面側には、第二群枠２３の突起部２３ｋと突起部２３ｍとが付勢バネ３５による後方への付勢力Ｗ0 を受けて常時当接している。
【００５０】
合焦駆動時にフォーカスモータ４１の出力軸が回転駆動されると、終段ギヤ４９の回転に伴って送りネジ５０を介して駆動用ナット５２が移動するので、第二群枠２３は、駆動用ナット５２を介して付勢バネ３５の付勢力Ｗ0 に抗して押圧され、第二群ガイド枠２１およびＬＤ地板２２に対して相対的に光軸Ｏと平行なＺ方向に進退し、合焦駆動される。
【００５１】
なお、上記合焦駆動時においては、直前のズーミング駆動にて第二群ガイド枠２１のカムフォロア１５が上述したカム枠３のカム溝３ｃの第二群レンズ１２のズーミングの光学的必要移動量に対して不足するカム溝部（図１０に示すカム溝部３c2，３c1）上に位置しているときは、そのズーミング不足分を補正する移動量を合焦駆動量に加算して第二群ガイド枠２１，第二群枠２３が進退駆動される。その動作の詳細は後述する。
【００５２】
第三群枠８は、中央開口部に第三群レンズ１３を保持する円板形状の枠部材であって、第三群枠には、外周部に３つの直進ガイド凸部８ａが設けられ、該凸部上には３本のカムフォロア１６がそれぞれ固着されている。
【００５３】
第三群枠８は、フロートキー５の内周部にて直進ガイド凸部８ａをフロートキー５の直進ガイド溝５ｃに摺動自在に嵌入させた状態でフォーカスユニット７の後方位置に光軸Ｏ方向に進退自在に挿入される。そして、第三群枠８のカムフォロア１６は、カム枠３の内周のカム溝３ｄに摺動自在に嵌入される。従って、第三群枠８は、光軸Ｏ方向に直進ガイドされた状態でカム枠３の回転および進退移動にともなってカム溝３ｄによって進退移動する。
【００５４】
第三群枠８とフォーカスユニット７のＬＤ地板２２との間には、圧縮バネである付勢バネ９が挿入されており、常時、離間する方向に付勢力が作用している。従って、第三群枠８のカムフォロア１６とカム溝３ｄとの間の嵌合ガタおよび第二群ガイド枠２１のカムフォロア１５とカム溝３ｃとの間の嵌合ガタがない状態で第三群枠８および第二ガイド枠２１（第二群枠２３）は、進退移動することになる。
【００５５】
本実施形態のレンズ鏡筒１１０が装着されるカメラ１００の電気回路について、図１１の回路ブロック構成図を用いて説明する。
【００５６】
カメラ１００の電気回路は、図１１に示すようにカメラ駆動用電源（バッテリ）９２と、カメラ全体の制御を司る制御手段であるＣＰＵ９１と、カメラ１００の主電源スイッチであるメインスイッチ９３と、レンズ鏡筒１１０のズーム駆動を指示するためのズームスイッチ９４と、撮影開始を指示するレリーズスイッチ９５と、フォーカスモータ４１を駆動するためのフォーカスモータドライバ９６と、フォーカスモータ４１と、カメラ制御上の各種のデータを記憶するＲＡＭ９７と、ズームモータ６４を駆動するためのズームモータドライバ９８と、ズームモータ６４と、被写体距離を測定し、レンズ鏡筒１１０の合焦駆動データを得るための測距手段（測距回路）９９と、フォトインターラプタ６１（図７）からなる合焦駆動量を検出するためのフォトインターラプタ６１（図７）からなるフォーカスエンコーダ６０と、ズーム位置検出スイッチ部４０（図５），フォトインターラプタ６６（図１）からなるレンズ鏡筒のズーム位置データ（カム枠３の回動角度位置データ）を得るためのズームエンコーダ８９とを有している。
【００５７】
次に、上述した構成を有する本実施形態のレンズ鏡筒１１０における各鏡枠の進退動作ついて説明する。 
本レンズ鏡筒１１０において、非撮影状態では、回転枠２，カム枠３や第一群枠６，フォーカスユニット７等の鏡枠は、図２に示す固定枠１の内部に略収納される沈胴位置に繰り込まれている。
【００５８】
メインスイッチ９３のオンによってＣＰＵ９１の制御のもとでカメラ１００の各種の制御が開始される。そして、図２の沈胴状態にあるレンズ鏡筒１１０においては、ロングギヤ３６を介した回転枠２の回転によって回転枠２，カム枠３，第一群枠６，フォーカスユニット７および第三群枠８がそれぞれ光軸Ｏ方向に繰り出され、図３，４の撮影可能なワイド状態となる。詳しくは、回転枠２は、その回転にともなって固定枠１の雌ヘリコイド１ａを介して前方に繰り出される。移動枠４は、回転することなく回転枠２とともに前方に繰り出される。カム枠３は、回転枠２とともに回転しながら繰り出されるが、その繰り出し位置は、移動枠４の雌ヘリコイド４ｂを介して繰り出されることからカム枠３よりもさらに前方に繰り出される。フロートキー５は、移動枠４により回転規制された状態でカム枠３とともに繰り出される。また、第一群枠６は、フロートキー５により回転規制された状態でカム枠３の雌ヘリコイド３ｂを介してカム枠３よりも前方に繰り出される。フォーカスユニット７，第三群枠８は、フロートキー５によって回転規制された状態でカム枠３のカム溝３ｃ，３ｄによって繰り出される。
【００５９】
その後、ズームスイッチ９４がテレ側（さらにはワイド側）に操作されると、回転枠２，カム枠３の回転に伴って第一群枠６，フォーカスユニット７，第三群枠８等がそれぞれのズーム位置に繰り出され、あるいは、繰り込まれる（図３，４）。
【００６０】
第一群枠６，フォーカスユニット７，第三群枠８のズーム位置であるワイド端位置、または、テレ端位置への到達（カム枠３の回動角度位置に対応する）は、ズーム位置検出スイッチ部４０のオフ信号によって検出される。さらに、上記各枠部材のワイド端位置とテレ端位置以外の任意のズーム位置を与えるカム枠３の回動角度位置は、ズーム位置検出スイッチ部４０によってワイド端回動位置到達が検知された後のフォトインターラプタ６６の出力によるズームモータ６４の回転量データによって得られる。
【００６１】
レリーズスイッチ９５の一段目の操作により測距手段９９より取り込まれた被写体距離データに基づいたフォーカスユニット７の合焦駆動が行われる。すなわち、被写体距離データに基づき、上記ＣＰＵ９１の制御によりフォーカスモータ４１が駆動され、上記合焦駆動機構部によりフォーカスユニット７に内蔵される第二群枠２３が第二群ガイド枠２１に対して光軸Ｏ方向に沿って相対的に進退駆動され、合焦駆動が行われる。本実施形態の場合、上記合焦駆動時においては、後述するようにズーム繰り出し位置が正規のズーム位置より不足する場合には、上記不足分が加算されて合焦駆動がなされる。
【００６２】
次に、本実施形態のレンズ鏡筒１１０におけるカム枠３に設けられるカム溝３ｃ，３ｄの軌跡の詳細、および、ズーム駆動時の各枠部材の進退動作、さらに、ズーム駆動における移動量の不足を合焦駆動時に補正する動作の詳細について、図９，１０等を用いて説明する。 
図９は、本実施形態のレンズ鏡筒におけるカム枠の内周部の雌ヘリコイドおよびカム溝の形状を示す展開図である。図１０は、図９のＰ部拡大図であって、上記カム溝の詳細な形状を示す図である。
【００６３】
カム枠３は、ズームレンズ鏡筒の沈胴状態からワイド状態に至るまでのズームアップ駆動（セットアップ駆動を含む）される場合、沈胴回動位置（角度）からワイド回動位置（角度）、さらに、テレ回動位置（角度）に反時計回り（図９上では、＋θ方向）に回動駆動される。カム枠３の反時計回りの回動によってカムフォロア１５は、沈胴回動位置θ2C，ワイド端回動位置θ2W，テレ端回動位置θ2Tの対応位置に移動する。カムフォロア１５の移動によって第二群枠２３がそれぞれのズーム移動位置に移動する。一方、カムフォロア１６は、沈胴回動位置θ3C，ワイド端回動位置θ3W，テレ端回動位置θ3Tの対応位置に移動する。カムフォロア１６の上記移動によって第三群枠８は、それぞれのズーム位置に移動する。
【００６４】
ところが、カム溝３ｃは、沈胴位置からワイド位置の間の範囲に限って正規の第二群レンズ１２のズーム時における光学的必要移動量（軌跡）に対して光軸Ｏ方向に不足する移動量（−Ｚ方向に部分的平行移動した軌跡）を与える軌跡を有している。
【００６５】
図１０のカム溝の拡大図により説明すると、フォーカスユニット７の第二群ガイド枠２１（第二群枠２３）を介して保持される第二群レンズ１２のズーム駆動時の正規の光学的必要移動量を与えるカム溝３ｃ′は、カム枠３の沈胴カム筋としてのカム溝部３c3′とズームカム筋としてのカム溝部３c2′およびテレ端までのカム溝部で形成され、そのうち、カム溝部３c2′は、ワイド端回動位置θ2Wから沈胴回動位置θ2C側に向けて光軸Ｏ方向前方にピーク点をもつ形状を有している。
【００６６】
これに対して本実装形態におけるカム枠３のカム溝３ｃは、沈胴カム筋としてのカム溝部３c3とズームカム筋としてのカム溝部３c2，３c1およびテレ端までのカム溝部で形成される。このカム溝３ｃは、カム枠３の沈胴回動位置θ2Cからワイド端回動位置θ2Wを過ぎた折曲点Ｆ0 の回動位置θ2Fまでの範囲がカム溝３ｃ′よりも−Ｚ側に後退した軌跡を有している。すなわち、カム溝３ｃは、ズームカム筋として折曲点回動位置θ2Fからワイド端回動位置θ2W側に向けて光軸Ｏと直交方向に沿って折れ曲がった傾斜のないカム溝部３c1と、カム溝部３c1に続いてワイド端回動位置θ2W近傍のピーク状のカム溝部３c2と、カム溝部３c2に続いてピークを過ぎて沈胴位置まで下がってゆく沈胴カム筋としてのカム溝部３c4からなる。このカム溝３ｃは、カム溝３ｃ′のカム溝部３c2′，３c3′の一部が−Ｚ方向に距離Ｌ1 だけ平行移動した上記必要移動量に不足するカム溝部である。
【００６７】
ズーム駆動時に沈胴回動位置θ2Cからワイド端回動位置θ2Wに向けてカム溝３ｃによってカムフォロア１５が繰り出される場合、カム溝３ｃ′により繰り出す場合に比較して、沈胴回動位置θ2Cから遅れて繰り出され、距離Ｌ1 だけ不足した状態でワイド端回動位置θ2Wに対するカム溝部３c2上に達する。その後、カム溝部３c1を通過するときは、カム溝３ｃ′のカム溝部３c2′に対する不足分が徐々に少なくなり、折曲点Ｆ0 の回動位置θ2Fに達したとき、上記不足分がなくなる。その回動位置でカム溝３ｃは、カム溝３ｃ′と一致して、カムフォロア１５は、同一位置に位置する。以後、テレ端回動位置θ2Tまでは、カムフォロア１５は、カム溝３ｃ′と同一軌跡のカム溝３ｃ上を移動する。
【００６８】
上述のようにカム枠３のワイド端回動位置近傍と沈胴回動位置の間において、カム枠３のカム溝３ｃとしてズーム駆動時の光学的必要移動量を与えるカム溝３ｃ′を−Ｚ側に変位させた上記必要移動量に光軸Ｏ方向に不足する軌跡（換言すると、ズームの繰り出し不足）を与える理由は、ワイド位置から沈胴位置への繰り込み時においてカムフォロア１５が固着される第二群ガイド枠２１（実際には、枠蓋２６の前端面）と第一群枠６（実際には、第一群レンズ１１を保持する枠部後端面）との間の干渉（衝突）を避けるためである。
【００６９】
詳しくは、カム枠３をワイド端回動位置から沈胴回動位置に向けて回動させた場合、第一群枠６は、雌ヘリコイド３ｂに沿って漸次繰り込まれる。一方、カム溝３ｃ′をもつ第二群ガイド枠２１を同様にワイド端回動位置から沈胴回動位置に向けて回動させた場合は、カム溝３ｃ′に沿ってカムフォロア１５が移動するが、カム溝３ｃ′が上述したようにワイド端回動位置から沈胴回動位置に向けてピークを有しているためにそのピーク点を僅かにすぎた最接近回動位置θ2P′で第一群枠６の後端面と第二群ガイド枠２１の前面部が極めて接近する。したがって、その接近時に双方が干渉する可能性があることから第一群枠６および第二群枠２３を含めて第二群ガイド枠２１の配置，形状が制限されることになり、自由度が少なくなる。なお、上述した第一群枠６と第二群ガイド枠２１との接近する状態は、カム枠３を沈胴回動位置からワイド端回動位置に向けて回動させた場合も同様の接近状態となる。
【００７０】
そこで、本実装形態のレンズ鏡筒１１０においては、カム枠２３の第二群ガイド枠２１にためのカム溝として上述したようにワイド端回動位置から沈胴回動位置に向けて−Ｚ側に距離Ｌ1 だけ後退させた上記必要移動量に不足するカム溝３ｃを適用した。これによって最接近回動位置θ2Pにおける第一群枠６の後端面と第二群ガイド枠２１の前面部との離間距離が図１０に示すようにカム溝３ｃ′を適用する場合に比べて距離Ｌ2 だけ増えることになる。上記最接近時の離間距離の増加によって第一群枠６および第二群枠２３を含めて第二群ガイド枠２１の配置，形状に対する自由度が増え、十分に光学系性能を満足するレンズ鏡筒が得られることになる。
【００７１】
上述したようにカム枠２３のカム溝３ｃが沈胴回動位置からワイド端回動位置に向けて−Ｚ側に距離Ｌ1 だけ後退しており、ズーム駆動時の第二群ガイド枠２１（したがって、第二群枠２１）の繰り出し量が必要移動量に対して不足するが、この不足移動量は、合焦駆動処理時にて合焦のための移動量に加算して第二群枠２１が合焦駆動される。
【００７２】
なお、カム溝部３c2のピークを与える形状は、光学的必要移動量を与えるカム溝部３c2′のピークの形状に対して平行移動した形状（傾斜角度が等しい）を有しているが、このような形状を採用することによって、カム枠３のズーム駆動時の停止回動位置のばらつきによる第二群ガイド枠２１の繰り出し量のずれ量を光学的必要移動量を与えるカム溝部３c2′でのずれ量と同程度とすることができる。
【００７３】
上記合焦駆動処理動作を図１２のフローチャートに基づいて具体的に説明する。 
撮影に際してズームスイッチ９４を操作することによってカム枠３を回動させて雌ヘリコイド３ｂやカム溝３ｃ，３ｄによって第一群枠６，第二群ガイド枠２１，第三群枠８を進退させ、所望のズーム状態とする。そこで、レリーズスイッチ９５の一段目の操作がなされた場合、ＣＰＵ９１の制御のもとで実行されている撮影シーケンス処理のメインルーチンにて図１２に示すサブルーチン「合焦駆動処理」がＣＰＵ９１に内蔵される制御手段により実行される。
【００７４】
まず、ステップＳ０１にてズームエンコーダ８９の出力によって上記ズーム状態でのカム枠３の回動位置を検出し、フォーカシングレンズ群群である第二群レンズ１２のズーミング位置が正規領域内にあるかチェックする。なお、第二群レンズ１２のズーミング位置が正規領域内にあるかどうかの判断は、第二群ガイド枠２１のズーム位置を与えるカムフォロア１５がカム枠３のカム溝３ｃ上の前述した折曲点回動角位置θ2Fからテレ端回動角位置θ2Fの範囲にあるか、あるいは、ズーム移動の光学的必要移動量が不足する範囲である折曲点回動角位置θ2Fよりもワイド端回動位置θ2Wの側にあるかを判断することになる（図９，１０）。
【００７５】
ステップＳ０１のチェックで上記正規領域内にあると判断された場合は、光学的必要移動量が不足がないことからズーム移動量の加算は不要であるとして、ステップＳ０２に進む。上記正規領域外にあると判断された場合は、光学的必要移動量が不足することからズーム移動量の加算が必要であるとして、ステップＳ０６に進む。
【００７６】
ステップＳ０２に進んだ場合は、測距手段９９の出力データによるＲＡＭ９７に記憶されている合焦駆動位置データを読み出し、正規ズーム位置から合焦駆動時の駆動量としてセットする。
【００７７】
ステップＳ０６に進んだ場合は、ステップＳ０１で検出されたワイド端回動位置θ2Wから折曲点回動角位置θ2Fの間のカム枠３の回動位置に対応するズーム正規カム位置からのずれ量、詳しくは、ズームの光学的必要移動量を与えるカム溝部３c2′上の移動量に対してカム溝部３c1、または、３c2上の移動量が不足する移動量データ（ずれ量）をＲＡＭ９７より読み出す。一方、測距手段９９の出力データによるＲＡＭ９７に記憶されている合焦駆動位置データを読み出し、双方の移動量データを加算して合焦駆動時の駆動量としてセットする。
【００７８】
ステップＳ０３にてフォーカスモータ４１の駆動を開始させ、第二群枠２３を進退駆動する。ステップＳ０４でステップＳ０２、または、ステップＳ０６でセットされた合焦駆動時の駆動量分の駆動が完了したかをフォーカスエンコーダ６０の出力によりチェックして、駆動完了が検出された場合、ステップＳ０５に進み、フォーカスモータ４１を停止させて、本サブルーチンを終了する。
【００７９】
以上、説明したように本実装形態のレンズ鏡筒１１０によれば、カム枠３のカム溝３ｃ中のワイド端回動位置と沈胴回動位置間のカム溝部３c1，３c2，３c3を正規の光学必要移動量を与えるカム溝３ｃ′に対してピーク点を下方にずらすことによってワイド端位置から沈胴位置への第一群枠６と第二群ガイド枠２１との繰り込み動作での最接近時における離間距離を増やすようにした。したがって、第一群枠６と第二群ガイド枠２１との光軸Ｏ方向の占有スペースをより広くとることが可能となり、配置および形状の自由度が増え、満足する光学性能を持つレンズ鏡筒を提供することができ、さらに、レンズ鏡筒やカメラの小型化も実現できる。
【００８０】
なお、本実装形態のレンズ鏡筒１１０においては、上述のようにワイド端近傍でのズーム駆動時には、第二群ガイド枠２１（第二群枠２３）の移動量が合焦駆動前は不足している状態であるが、レンズ鏡筒１１０が装着されるカメラ１００には、前述したようにズーム式光学ファインダを有していることからファインダ像の観察上の問題は生じない。
【００８１】
上述した実装形態のレンズ鏡筒１１０のカム枠３のカム溝３ｃの形状は、図１０に示すようにワイド端回動位置θ2Wの沈胴側にピーク部のカム溝部３c2が形成されている。この形状に対する変形例として図１３のカム溝拡大図に示すような平坦なカム溝部を有するカム枠８３を提案できる。
【００８２】
この変形例のカム枠８３は、図１３に示すように第二群枠２３を進退駆動するカム溝８３ｃを有するが、このカム溝３ｃは、ワイド端回動位置θ2W近傍、すなわち、折曲点回動駆動位置θ2Fから最接近回動位置θ2Pの範囲に光軸Ｏと直交方向に沿った、すなわち、周方向に沿ったカム溝部８３c1と、そのカム溝部に続いて沈胴位置に向けて傾斜するカム溝部８３c3と、折曲点回動駆動位置θ2Fからテレ端までのカム溝部とを有している。カム溝部８３c1にはピーク点がないため、ズーム駆動時の正規の光学的必要移動量を与えるカム溝３ｃ′のカム溝部３c2′に対してさらに不足量が増える。したがって、カムフォロア１５がワイド端対応位置から沈胴位置に移動する際の第一群枠６と第二群ガイド枠２１との最接近時の離間距離が前記実装形態のカム溝の場合よりさらに大きくなり、第一群枠６と第二群ガイド枠２１との配置形状の自由度がさらに増える。
【００８３】
なお、本変形例のカム枠８３を適用する場合においても前記実施形態の場合と同様にレリーズスイッチ９５の一段目オンに伴って図１２のフローチャートに示した合焦駆動処理動作が実行される。
【００８４】
前述した実施形態、または、その変形例を適用したレンズ鏡筒１１０は、ズーム式ファインダ光学系を有するカメラに適用されるものであったが、ズーム式ファインダ光学系を有していない一眼レフカメラのズームレンズ鏡筒に対しても上述した実施形態、または、その変形例の構造を適用することが可能である。但し、カム枠３がワイド端回動位置θ2Wから折曲点回動角位置θ2Fの間にある場合のフォーカシングレンズ群の位置のズーム正規カム位置からのずれ補正は、合焦駆動時ではなくズーム駆動時に補正してファインダ観察像を正規のズーム状態の観察像にする必要がある。
【００８５】
上記フォーカシングレンズ群群のずれ量の補正を行うためのサブルーチン「フォーカシングレンズ群補正駆動処理」は、図１４のフローチャートに示される。この補正駆動処理は、図１２に示した「合焦駆動処理」に対して合焦のための駆動量の読み出しと加算を行わず、フォーカシングレンズ群群（第二群枠２３の第二群レンズ１２）の位置の補正のみを行う処理である。なお、この変形例における合焦駆動処理では、従来の合焦駆動処理が実行される。
【００８６】
なお、レンズ鏡筒１１０の構造は、銀塩カメラに限らずデジタルカメラ用のレンズ鏡筒にも適用可能である。
【産業上の利用可能性】
【００８７】
本発明によるズームレンズ鏡筒、あるいは、ズームレンズを有するカメラは、枠部材の配置が容易で設計上の自由度が大きく、また、小型化も可能なズームレンズ鏡筒、または、ズームレンズを有するカメラとして利用可能である。
【図面の簡単な説明】
【００８８】
【図１】本発明の一実施形態であるズームレンズ鏡筒の外観を示す斜視図である。
【図２】図１のズームレンズ鏡筒が装着される銀塩カメラのレンズ鏡筒沈胴状態での撮影光軸に沿った断面図である。
【図３】図１のズームレンズ鏡筒の撮影可能なワイド状態での撮影光軸に沿った断面図である。
【図４】図１ズームレンズ鏡筒の撮影可能なテレ状態での撮影光軸に沿った断面図である。
【図５】図１のズームレンズ鏡筒の分解斜視図の一部を示す。
【図６】図１のズームレンズ鏡筒の分解斜視図の他の一部を示す。
【図７】図１のズームレンズ鏡筒に内蔵されるフォーカスユニットの分解斜視図である。
【図８】図７のＥ矢視図であって、上記フォーカスユニットの合焦駆動機構部を構成する送り軸部まわりの断面図である。
【図９】図１のズームレンズ鏡筒に適用されるカム枠の内周部の雌ヘリコイドおよびカム溝の形状を示す展開図である。
【図１０】図９のＰ部カム溝拡大図であって、上記カム溝の詳細な形状を示す図である。
【図１１】図２のカメラの電気回路のブロック構成図である。
【図１２】図２のカメラにおける撮影シーケンスのメインルーチンで呼び出される合焦駆動処理のフローチャートである。
【図１３】図１のズームレンズ鏡筒のカム枠におけるカム溝に対する変形例のカム溝拡大図である。
【図１４】図１のズームレンズ鏡筒を一眼レフカメラのズームレンズ鏡筒として適用した変形例におけるサブルーチン「フォーカシングレンズ群群補正駆動処理」のフローチャートである。
【図１５】従来のズームレンズ鏡筒の枠部材の部分拡大図である。
【符号の説明】
【００８９】
３ｃ…カム溝（ズーム用カム）
３c1，３c2
…カム溝部
（光学的必要移動量に対して不足するカム筋，
ズームカム筋）
３c3…カム溝部（沈胴カム筋）
１１  …第一群レンズ
（複数のレンズ群，他のレンズ群）
１２  …第二群レンズ
（複数のレンズ群，フォーカシングレンズ群）
１３  …第三群レンズ（複数のレンズ群）
２３ｋ，２３ｍ
…後方突起（合焦駆動機構）
５０  …送りネジ（合焦駆動機構）
５２  …駆動用ナット（合焦駆動機構）
９１  …ＣＰＵ（制御手段）
代理人      弁理士    伊  藤    進
【図１】
2005258359.tif 000003
【図２】
2005258359.tif 000004
【図３】
2005258359.tif 000005
【図４】
2005258359.tif 000006
【図５】
2005258359.tif 000007
【図６】
2005258359.tif 000008
【図７】
2005258359.tif 000009
【図８】
2005258359.tif 000010
【図９】
2005258359.tif 000011
【図１０】
2005258359.tif 000012
【図１１】
2005258359.tif 000013
【図１２】
2005258359.tif 000014
【図１３】
2005258359.tif 000015
【図１４】
2005258359.tif 000016
【図１５】
2005258359.tif 000017